(57)【要約】【課題】骨盤を前傾に支持することができて、腰椎が前弯した正しい姿勢を確実に保つことが可能なクッションを提供。【解決手段】クッション１を座部３の後面と支持部５の前面とが当接する状態として、椅子Ｃの座面の後方側（背もたれの基部付近）に置く。そして、椅子Ｃに腰掛けると、坐骨部が座部３に支持され、骨盤が支持部５に支持される。座部３の傾斜面３ａ、支持部５の傾斜面５ａはいずれも後方へ進むに従って上り勾配となっていて、傾斜面３ａの傾斜角度θ１は２０°に設定され、傾斜面５ａの傾斜角度θ２は５０°に設定されているので、骨盤を前傾に支持することができ、腰椎を前弯させた状態に保つことができる。【選択図】        図８
2015000146.tif 000002
【特許請求の範囲】
【請求項１】
坐骨部が載る座部と、前記座部の後方側に連設し骨盤を前傾に支持する支持部とを有し、椅子に設置して使用するクッションにおいて、前記座部と前記支持部はいずれも後方へ進むに従って上り勾配となる傾斜面を有しており、前記座部の傾斜面と前記支持部の傾斜面は連続し、しかも前記座部の傾斜面の傾斜角度が１５°〜２５°に設定され、前記支持部の傾斜面の傾斜角度が４５°〜５５°に設定されていることを特徴とするクッション。
【請求項２】
請求項１に記載したクッションにおいて、座部と支持部とは折り曲げ可能な連結部によって連結されており、前記座部上面と前記支持部上面を互いに当接させて折り畳み可能であることを特徴とするクッション。
【請求項３】
請求項１または２に記載したクッションにおいて、座部は正面視が直角三角形の三角柱状で上面が傾斜面となる合成樹脂製の座部用ブロックを有する中材を構成部材とし、支持部は上面が前記座部用ブロックの傾斜面と同じ傾斜角度の傾斜面となる四角柱状の合成樹脂製の支持部用下側ブロックと、正面視が直角三角形の三角柱状で高さ寸法が前記支持部用下側ブロックの最大高さ寸法と同じ寸法に設定された支持部用上側ブロックを有する中材を構成部材とすることを特徴とするクッション。
【請求項４】
請求項３に記載したクッションの製造方法において、
支持部用下側ブロックの最大高さ寸法と同じ高さ寸法で、且つ支持部用下側ブロックの下辺の寸法と座部用ブロックの下辺の寸法の和と同じ幅寸法で、しかも支持部用下側ブロックと座部用ブロックの長さ寸法と同じ長さ寸法を有する直方体のブロック材料をその幅方向の対角線で切断して三角柱状のブロック材料を得て、前記三角柱状のブロック材料をその幅方向で前記支持部用下側ブロックの下辺の寸法と座部用ブロックの下辺の寸法に対応して分離するように切断して座部用ブロックと支持部用下側ブロックとを得る工程と、
支持部用上側ブロックの最大高さ寸法と同じ高さ寸法で、且つ支持部用上側ブロックの下辺の寸法と同じ幅寸法の直方体のブロック材料をその幅方向の対角線で切断して支持部用上側ブロックを得る工程とからなることを特徴とするクッションの製造方法。
【発明の詳細な説明】
【技術分野】
【０００１】
本発明はクッションに係り、特に椅子に座ったときに背筋が伸びた正しい姿勢を保つことができるクッションに関するものである。
【背景技術】
【０００２】
椅子に座ったときに骨盤が後傾すると、腰椎が前弯した正しい姿勢を保つことができ難くなり、これが腰痛の原因になることがある。
椅子に座ったときに正しい姿勢を保つためのクッションとしては、例えば特許文献１に示された「腰痛防止用腰もたれ」（以下、従来例に係るクッションという。）がある。
従来例に係るクッションは坐骨部が載る座部と、仙椎を支える支持部とから構成されており、座部は扁平な平板状に形成され、支持部は略かまぼこ状に形成されている。
この従来例に係るクッションは座部が扁平な平板状で、支持部が略かまぼこ状であるため骨盤と支持部との間に隙間ができてしまい、骨盤を前傾に支持することができず、正しい姿勢を保つことができないおそれがある。
更に、非特許文献１、２に示されているように支持部が傾斜面となったクッションもあるが、この支持部の傾斜角度はせいぜい２０°程度であるため、骨盤を前傾に支持することができず、腰椎を前弯させた状態にすることができないという問題がある。
また、従来例に係るクッションは椅子の座面全体を覆う程度の大きさであり、かなり嵩張るので持ち運びには不向きである。
【先行技術文献】
【特許文献】
【０００３】
【特許文献１】特開平１０−３１３９７０号公報
【非特許文献】
【０００４】
【非特許文献１】株式会社ドクターエル、「マルチレストクッション  ドクターエル」、[online]、[平成25年5月20日検索]、インターネット〈URL:http://www.dr-l.co.jp/Drl.html〉
【非特許文献２】株式会社ドリーム、「姿勢快適クッション」、[online]、[平成25年5月20日検索]、インターネット〈URL:http://mydream.co.jp/commodity/14〉
【発明の概要】
【発明が解決しようとする課題】
【０００５】
本発明は上記従来の問題点に着目して為されたものであり、骨盤を前傾に支持することができて、腰椎が前弯した正しい姿勢を保つことが可能で、且つコンパクトな状態にすることができて持ち運びにも便利なクッションの提供を、その目的とする。
【課題を解決するための手段】
【０００６】
本発明は上記課題を解決するためになされたものであり、請求項１の発明は、坐骨部が載る座部と、前記座部の後方側に連設し骨盤を前傾に支持する支持部とを有し、椅子に設置して使用するクッションにおいて、前記座部と前記支持部はいずれも後方へ進むに従って上り勾配となる傾斜面を有しており、前記座部の傾斜面と前記支持部の傾斜面は連続し、しかも前記座部の傾斜面の傾斜角度が１５°〜２５°に設定され、前記支持部の傾斜面の傾斜角度が４５°〜５５°に設定されていることを特徴とするクッションである。
【０００７】
請求項２の発明は、請求項１に記載したクッションにおいて、座部と支持部とは折り曲げ可能な連結部によって連結されており、前記座部上面と前記支持部上面を互いに当接させて折り畳み可能であることを特徴とするクッションである。
【０００８】
請求項３の発明は、請求項１または２に記載したクッションにおいて、座部は正面視が直角三角形の三角柱状で上面が傾斜面となる合成樹脂製の座部用ブロックを有する中材を構成部材とし、支持部は上面が前記座部用ブロックの傾斜面と同じ傾斜角度の傾斜面となる四角柱状の合成樹脂製の支持部用下側ブロックと、正面視が直角三角形の三角柱状で高さ寸法が前記支持部用下側ブロックの最大高さ寸法と同じ寸法に設定された支持部用上側ブロックを有する中材を構成部材とすることを特徴とするクッションである。
【０００９】
請求項４の発明は、請求項３に記載したクッションの製造方法において、
支持部用下側ブロックの最大高さ寸法と同じ高さ寸法で、且つ支持部用下側ブロックの下辺の寸法と座部用ブロックの下辺の寸法の和と同じ幅寸法で、しかも支持部用下側ブロックと座部用ブロックの長さ寸法と同じ長さ寸法を有する直方体のブロック材料をその幅方向の対角線で切断して三角柱状のブロック材料を得て、前記三角柱状のブロック材料をその幅方向で前記支持部用下側ブロックの下辺の寸法と座部用ブロックの下辺の寸法に対応して分離するように切断して座部用ブロックと支持部用下側ブロックとを得る工程と、
支持部用上側ブロックの最大高さ寸法と同じ高さ寸法で、且つ支持部用上側ブロックの下辺の寸法と同じ幅寸法の直方体のブロック材料をその幅方向の対角線で切断して支持部用上側ブロックを得る工程とからなることを特徴とするクッションの製造方法である。
【発明の効果】
【００１０】
本発明のクッションによれば、骨盤を前傾に支持することができて、腰椎が前弯した正しい姿勢を確実に保つことが可能となる。また、コンパクトな状態にすることが可能で持ち運びに便利となる。
また、本発明のクッションの製造方法によれば、中材の構成部材である座部用ブロック、支持部用下側ブロック及び支持部用上側ブロックを、ブロック材料を無駄にすることなく製造することが可能である。
【図面の簡単な説明】
【００１１】
【図１】本発明の実施の形態に係るクッションの斜視図である。
【図２】図１のクッションの中材の側面図である。
【図３】図２の中材を構成する座部用ブロックと支持部用下側ブロックの製造方法を説明するためのブロック材料の正面図である。
【図４】図２の中材を構成する座部用ブロックと支持部用下側ブロックの製造方法を説明するためのブロック材料の斜視図である。
【図５】図２の中材を構成する支持部用上側ブロックの製造方法を説明するためのブロック材料の正面図である。
【図６】図２の中材を構成する支持部用上側ブロックの製造方法を説明するためのブロック材料の斜視図である。
【図７】（ａ）は図１のクッションを、その座部の後面と支持部の前面とが当接する状態とした側面図であり、（ｂ）は座部上面と支持部上面とが当接する状態に折り畳んだ状態の側面図である。
【図８】図１のクッションを図７（ａ）に示した状態として椅子の座面に置いて使用する方法を説明するための図である。
【図９】図１のクッションを図７（ｂ）に示した状態として椅子の背もたれと骨盤の間に挟んで使用する方法を説明するための図である。
【発明を実施するための形態】
【００１２】
本発明の実施の形態に係るクッション１を図面にしたがって説明する。クッション１は座部３、支持部５及び座部３と支持部５とを連結する連結部７から成る。座部３は三角柱状を為しており、傾斜面３ａを有している。また、支持部５は変形の六角柱状を為しており、傾斜面５ａを有している。傾斜面３ａ、５ａはいずれも後方へ進むに従って上り勾配となる傾斜面を有しており、傾斜面３ａと傾斜面５ａは連続しており、且つ傾斜面３ａより傾斜面５ａが急な勾配に設定されている。傾斜面３ａの傾斜角度θ１は２０°に設定され、傾斜面５ａの傾斜角度θ２は５０°に設定されている。
【００１３】
クッションの寸法は次の通りである。
長さ寸法１Ｌ：３０３ｍｍ
幅寸法１Ｗ：１３３ｍｍ
座部の幅寸法３Ｗ：６６ｍｍ
支持部の幅寸法５Ｗ：６７ｍｍ
座部の最大高さ寸法３Ｈ：２６ｍｍ
支持部の最大高さ寸法５Ｈａ：８０ｍｍ
支持部の最小高さ寸法５Ｈｂ：２６ｍｍ
【００１４】
座部３、支持部５はカバー９と、このカバー９に収容された中材１１、２１とから構成されている。
中材１１はウレタン樹脂製の支持部用下側ブロック１５、支持部用上側ブロック１７及びスポンジシート１９とから成り、中材２１はウレタン樹脂製の座部用ブロック２３とスポンジシート２５とから成る。なお、スポンジシート１９、２５の厚さ寸法は１０ｍｍである。
支持部用下側ブロック１５、支持部用上側ブロック１７及び座部用ブロック２３は比較的大きな圧力を加えないと弾性変形しないように設定され  スポンジシート１９、２５は比較的小さな圧力で変形するように設定されている。
【００１５】
支持部用下側ブロック１５は図２において上面が傾斜する四角柱状に形成されている。また、支持部用上側ブロック１７は正面視が直角三角形の三角柱状に形成されている。更に、座部用ブロック２３は正面視が直角三角形の三角柱状に形成されている。
支持部用下側ブロック１５の傾斜面（上面）に支持部用上側ブロック１７の底面が重ねられて接着されている。即ち、支持部用下側ブロック１５の傾斜面に支持部用上側ブロック１７の底面が接合して、支持部用上側ブロック１７の傾斜面が上側を向く状態で、支持部用下側ブロック１５と支持部用上側ブロック１７とが接着されている。そして、支持部用上側ブロック１７の傾斜面と支持部用下側ブロック１５の先端部上面（支持部用上側ブロック１７と接合していない部分）とにスポンジシート１９が接着され、中材１１が製作される。中材１１の傾斜面の角度は５０°である。
また、座部用ブロック２３の傾斜面（上面）にもスポンジシート２５が接着されて、中材２１が製作される。中材２１の傾斜面の角度は２０°である。
【００１６】
支持部用下側ブロック１５、支持部用上側ブロック１７及び座部用ブロック２３の寸法は次の通りである（図２〜図４参照）。
（支持部用下側ブロック１５）
幅寸法（下辺の寸法）１５Ｗ：６３ｍｍ
最大高さ寸法１５Ｈａ：４０ｍｍ
最小高さ寸法１５Ｈｂ：２０ｍｍ
長さ寸法：３００ｍｍ
【００１７】
（座部用ブロック２３）
幅寸法２３Ｗ（下辺の寸法）：５７ｍｍ
最大高さ寸法２３Ｈａ：２０ｍｍ
長さ寸法：３００ｍｍ
【００１８】
（支持部用上側ブロック１７）
幅寸法（下辺の寸法）１７Ｗ：６０ｍｍ
最大高さ寸法１７Ｈ：４０ｍｍ
長さ寸法：３００ｍｍ
【００１９】
支持部用下側ブロック１５、座部用ブロック２３を製造する工程について説明する。
図３、図４において符号Ｂ１はブロック材料を示し、このブロック材料Ｂ１は直方体を為している。ブロック材料Ｂ１は支持部用下側ブロック１５の最大高さ寸法１５Ｈａと同じ高さ寸法Ｂ１Ｈで、且つ支持部用下側ブロック１５の幅寸法（下辺の寸法）１５Ｗと座部用ブロック２３の幅寸法（下辺の寸法）２３Ｗの和と同じ幅寸法Ｂ１Ｗで、しかも支持部用下側ブロック１５の長さ寸法と座部用ブロック２３の長さ寸法と同じ長さ寸法Ｂ１Ｌを有している。
すなわち、幅寸法Ｂ１Ｗが１２０ｍｍ、高さ寸法Ｂ１Ｈが４０ｍｍ、長さ寸法Ｂ１Ｌが３００ｍｍの直方体のブロック材料Ｂ１を正面側（幅方向）の対角線Ｄ１で切断して、三角柱状のブロック材料Ｂ２を得る。そして、ブロック材料Ｂ２を支持部用下側ブロック１５の下辺の寸法１５Ｗと座部用ブロック２３の下辺の寸法２３Ｗに対応して分離するように、ブロック材料Ｂ２の鋭角となった部分の先端から５７ｍｍ寄った位置で垂直方向に切断して、二組の支持部用下側ブロック１５、座部用ブロック２３を得る。
【００２０】
支持部用上側ブロック１７を製造する工程について説明する。
図５、図６において符号Ｂ３はブロック材料を示し、このブロック材料Ｂ３は直方体を為している。ブロック材料Ｂ３は支持部用上側ブロック１７の最大高さ寸法１７Ｗと同じ高さ寸法で、且つ支持部用上側ブロック１７の下辺の寸法１７Ｗと同じ幅寸法を有している。
すなわち、幅寸法Ｂ３Ｗが６０ｍｍ、高さ寸法Ｂ３Ｈが４０ｍｍ、長さ寸法Ｂ３Ｌが３００ｍｍの直方体のブロック材料Ｂ３を正面側（幅方向）の対角線Ｄ３に従って切断して二組の支持部用上側ブロック１７を得る。
上記のように、支持部用下側ブロック１５、支持部用上側ブロック１７、座部用ブロック２３はいずれも厚さ４０ｍｍのブロック材料を切断することによって製造できるので、共通のウレタン樹脂製のブロック材料を使用でき、しかも切断による端材がでないので無駄がなく材料コストを低く抑えることが可能である。
【００２１】
カバー９の詳細な構成について説明する。
カバー９は高摩擦性、耐摩耗性に優れた布によって構成されている。カバー９は中材１１を収容する後方側収容部９ａと、中材２１を収容する前方側収容部９ｂとを有しており、後方側収容部９ａと前方側収容部９ｂはそれぞれ独立していて、連結部７を介して連結されている。連結部７は後方側収容部９ａと前方側収容部９ｂとを、互いに対向する側の上端部のみだけを連結している。
後方側収容部９ａは中材１１が、スポンジシート１９をやや圧縮する状態で収容される形状、サイズに形成され、前方側収容部９ｂは中材２１が、スポンジシート２５をやや圧縮する状態で収容される形状、サイズに形成されている。
【００２２】
後方側収容部９ａには中材１１が収容され、前方側収容部９ｂには中材２１が収容されて、クッション１の座部３の傾斜面３ａと支持部５の傾斜面５ａがいずれも後方へ進むに従って上り勾配となる傾斜面となっており、座部３の傾斜面３ａより支持部５の傾斜面５ａが急な勾配となっている。座部３の傾斜面３ａの傾斜角度は２０°に設定され、支持部５の傾斜面５ａの傾斜角度は５０°に設定されている
【００２３】
クッション１は前述のように座部３と支持部５とが折り曲げ可能な連結部７によって連結されているので、図７（ａ）に示す座部３の後面３ｂと支持部５の前面５ｂとが当接する状態から、図７（ｂ）に示す座部上面と支持部上面とが当接する状態に折り畳み可能である。
【００２４】
次に、このクッション１の使用方法について説明する。
クッション１を図７（ａ）に示した座部３の後面と支持部５の前面とが当接する状態として、図８に示すように椅子Ｃの座面の後方側（背もたれの基部付近）に置く。そして、椅子Ｃに腰掛けると、坐骨部が座部３に支持され、骨盤が支持部５に支持される。
前述のように、座部３の傾斜面３ａ、支持部５の傾斜面５ａはいずれも後方へ進むに従って上り勾配となっていて、傾斜面３ａの傾斜角度θ１は２０°に設定され、傾斜面５ａの傾斜角度θ２は５０°に設定されているので、骨盤を前傾に支持することができ、腰椎を前弯させた状態に保つことができる。
【００２５】
しかもクッション１の中材１１、２１の傾斜面には比較的小さな圧力で変形するスポンジシート１９、２５が備えられているので、スポンジシート１９、２５が坐骨部と骨盤の形状に沿って、仮想線から実線で示すように変形する。更に、支持部用下側ブロック１５、支持部用上側ブロック１７、座部用ブロック２３は比較的大きな圧力を加えないと弾性変形しないので、坐骨部と骨盤を完全に支持することができ、背筋が伸びた正しい姿勢を確実に保つことが可能となる。
【００２６】
また、椅子の座面のクッションが柔らかくて、クッション１が当該機能を果たしづらい場合は、図７（ｂ）に示したように座部上面と支持部上面とが当接する状態に折り畳んで、図９に示すようにクッション１を椅子Ｃの背もたれと骨盤の間に挟むことで、腰椎の前弯を維持することができ、クッション１を姿勢保持具として使うことも可能である。
【００２７】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態では座部３の傾斜面３ａの傾斜角度θ１を２０°に設定し、支持部５の傾斜面５ａの傾斜角度θ２を５０°に設定したが、傾斜角度θ１は１５°〜２５°の範囲で設定可能であり、また傾斜角度θ２は４５°〜５５°の範囲で設定可能である。
【産業上の利用可能性】
【００２８】
本発明のクッションはクッション製造業において利用可能性を有する。
【符号の説明】
【００２９】
１…クッション        ３…座部        ５…支持部
３ａ…座部の傾斜面        ５ａ…支持部の傾斜面
３ｂ…座部の後面        ５ｂ…支持部の前面
７…連結部        ９…カバー      ９ａ…後方側収容部
９ｂ…前方側収容部        １１…中材
１５…支持部用下側ブロック      １７…支持部用上側ブロック
１９…スポンジシート      ２１…中材  
２３…座部用ブロック        ２５…スポンジシート
Ｂ１、Ｂ２、Ｂ３…ブロック材料
Ｂ１Ｈ…ブロック材料Ｂ１の高さ寸法      Ｂ１Ｗ…ブロック材料Ｂ１の幅寸法
Ｂ１Ｌ…ブロック材料Ｂ１の長さ寸法
Ｂ３Ｈ…ブロック材料Ｂ３の高さ寸法      Ｂ３Ｗ…ブロック材料Ｂ３の幅寸法
Ｂ３Ｌ…ブロック材料Ｂ３の長さ寸法      Ｄ１、Ｄ３…対角線
θ１…座部の傾斜面の傾斜角度        θ２…支持部の傾斜面の傾斜角度
【図１】
2015000146.tif 000003
【図２】
2015000146.tif 000004
【図３】
2015000146.tif 000005
【図４】
2015000146.tif 000006
【図５】
2015000146.tif 000007
【図６】
2015000146.tif 000008
【図７】
2015000146.tif 000009
【図８】
2015000146.tif 000010
【図９】
2015000146.tif 000011